(57)【要約】      （修正有）【課題】送水竿を簡易に製造できるようにするとともに、簡易な構造で適正な送水量に設定できるようにした植木鉢用灌水器及びその送水竿を提供する。【解決手段】一端側が容器に入れられた水に浸漬され他端側が植木鉢側に配置され該容器内の水を毛細管作用により吸い上げて植木鉢側に送水する送水竿を備え、送水竿を、その途中を略逆Ｕ状に折り曲げて形成される折曲部とし、折曲部より一端側を水に浸漬可能な浸水部とし、折曲部より他端側を水が流下する流下部として用い、この送水竿を、樹脂製繊維ｆを多数本集約して形成され水が流れる繊維束Ｆと、繊維束Ｆの外周にコーティングにより被覆される樹脂製皮膜Ｍとを備えて構成した。また、繊維束Ｆ及び皮膜Ｍを外側から圧縮して長手方向に直交する方向のリング状の溝状凹部１１を列設し、水の流量を減少させる流量規整部１０を設けた。【選択図】図８
0003186784.tif 000002
【実用新案登録請求の範囲】
【請求項１】
一端側が容器に入れられた水に浸漬され他端側が植木鉢側に配置され該容器内の水を毛細管作用により吸い上げて植木鉢側に送水する送水竿を備え、該送水竿を、その途中を略逆Ｕ状に折り曲げて形成される折曲部とし、該折曲部より一端側を水に浸漬可能な浸水部とし、上記折曲部より他端側を水が流下する流下部として用いる植木鉢用灌水器において、
上記送水竿を、樹脂製繊維を多数本集約して形成され水が流れる繊維束と、該繊維束の外周にコーティングにより被覆される樹脂製皮膜とを備えて構成したことを特徴とする植木鉢用灌水器。
【請求項２】
上記送水竿に、上記繊維束及び皮膜を加工することにより形成され水の流量を減少もしくは増加させる流量規整部を１もしくは２以上設けたことを特徴とする請求項１記載の植木鉢用灌水器。
【請求項３】
上記流量規整部を、上記繊維束及び皮膜を外側から圧縮して一般部の流路よりも狭い流路に形成したことを特徴とする請求項２記載の植木鉢用灌水器。
【請求項４】
上記流量規整部を、長手方向に直交する方向の溝状凹部を列設して構成したことを特徴とする請求項３記載の植木鉢用灌水器。
【請求項５】
上記流量規整部を、上記送水竿の一端部の皮膜を剥ぎ取り、この被覆を剥ぎ取って露出した繊維束部分の繊維を分離して形成したことを特徴とする請求項２記載の植木鉢用灌水器。
【請求項６】
上記折曲部を覆って保持するホルダを備え、該折曲部を、上記繊維束及び皮膜を外側から圧縮するとともに該皮膜を裂いて形成したことを特徴とする請求項１乃至５何れかに記載の植木鉢用灌水器。
【請求項７】
上記請求項１乃至６何れかに記載された送水竿の構成からなることを特徴とする植木鉢用灌水器の送水竿。
【考案の詳細な説明】
【技術分野】
【０００１】
本考案は、植物を栽培するプランタ等の種々の栽培容器を含む植木鉢に植栽された植物に対して水を毛細管現象により自動供給する植木鉢用灌水器及び植木鉢用灌水器の送水竿に関する。
【背景技術】
【０００２】
従来、植木鉢用灌水器としては、例えば、特開２００４−７３１３１号公報に掲載されたものが知られている。図１８に示すように、この植木鉢用灌水器Ｋａは、一端側が容器Ｂに入れられた水Ｗに浸漬され他端側が植木鉢Ｈ側に配置されて容器Ｂ内の水Ｗを毛細管作用により吸い上げて植木鉢Ｈ側に送水する送水竿１００を備えている。送水竿１００は、例えば、綿または綿撚糸などの繊維類１０１を、樹脂等の可撓性パイプ１０２の全長に亘ってその内部に空間が形成されないように充填して構成され、略中央を略逆Ｕ状に折り曲げて用いられる。この送水竿１００は、一端側においてホルダ１０３で容器Ｂに保持され、他端側においてホルダ１０４で植木鉢Ｈの土壌に対して保持されている。ホルダ１０３は、送水竿１００を保持するリング状の本体１０３ａとこれを容器Ｂに支持するクリップ１０３ｂとを備えて構成されている。一方、ホルダ１０４は、送水竿１００を保持するリング状の本体１０４ａとこれを土壌に支持する針棒１０４ｂとを備えて構成されている。更に、送水竿１００のパイプ１０２には送水量を調整するためのバルブ１０５を設けることも行っている。これは、水は送水竿１００の他端から滴下される等して送水されるが、この送水量が多すぎたり少なすぎると植物へ悪影響を与え、また、植物に悪影響を与えないとしても多すぎると容器Ｂ内の水の補給間隔が短くなるので、適正な送水量にするためである。
【先行技術文献】
【特許文献】
【０００３】
【特許文献１】特開２００４−７３１３１号公報
【考案の概要】
【考案が解決しようとする課題】
【０００４】
ところで、この従来の植木鉢用灌水器Ｋａにおいては、送水竿１００は、綿または綿撚糸などの繊維類１０１を、パイプ１０２の全長に亘ってその内部に空間が形成されないように充填して構成されているが、この充填作業が極めて煩雑で、製造が難しく高価なものになっているという問題があった。また、従来においては、適正な送水量にするためにバルブ１０５を設けているので、この点でも構造が複雑でコスト高になっている。
本考案は、このような問題点に鑑みてなされたもので、簡易に製造できるようにした植木鉢用灌水器及びその送水竿を提供することを目的とする。また、必要に応じ、簡易な構造で適正な送水量に設定できるようにする点も課題にした。
【課題を解決するための手段】
【０００５】
このような目的を達成するため、本考案の植木鉢用灌水器は、一端側が容器に入れられた水に浸漬され他端側が植木鉢側に配置され該容器内の水を毛細管作用により吸い上げて植木鉢側に送水する送水竿を備え、該送水竿を、その途中を略逆Ｕ状に折り曲げて形成される折曲部とし、該折曲部より一端側を水に浸漬可能な浸水部とし、上記折曲部より他端側を水が流下する流下部として用いる植木鉢用灌水器において、上記送水竿を、樹脂製繊維を多数本集約して形成され水が流れる繊維束と、該繊維束の外周にコーティングにより被覆される樹脂製皮膜とを備えて構成している。ここで、コーティングとは、溶融樹脂への浸漬、溶融樹脂の塗布，吹き付け等を言う。繊維束の一端面及び他端面は露出させられる。
【０００６】
この送水竿を製造するときは、例えば、ポリエステル（ＤＴＹ）等の樹脂からなる繊維を集約して繊維束を形成し、この繊維束を例えば槽に入れられた溶融ポリウレタン（ウレタンゴム）等の溶融樹脂内に引き通して乾燥させ、繊維束の外周に樹脂の被膜を形成し、その後、所要長さに両端を切断する等して行うことができる。そのため、従来のようにパイプの全長に亘って繊維質を充填するような煩雑な工程を経なくても製造することができ、製造が極めて容易になり、コストダウンを図ることができるようになる。
【０００７】
そして、必要に応じ、上記送水竿に、上記繊維束及び皮膜を加工することにより形成され水の流量を減少もしくは増加させる流量規整部を１もしくは２以上設けた構成としている。これにより、繊維束及び皮膜の加工の程度を変えることで流量を規整することができ、従来のようなバルブを設けなくても、簡易な構造で適正な送水量を確保することができる。また、簡易な構造なので、この点でもコストダウンを図ることができる。
【０００８】
また、必要に応じ、上記流量規整部を、上記繊維束及び皮膜を外側から圧縮して一般部の流路よりも狭い流路に形成した構成としている。これより、送水竿の一部に流路が狭い部分が形成されるので、流量を減少させることができ、狭い流路の設け方を変える簡易な手段で適正な送水量を確保することができる。
【０００９】
この場合、上記流量規整部を、長手方向に直交する方向の溝状凹部を列設して構成したことが有効である。溝状凹部の数を調整する簡易な手段で適正な送水量を確保することができる。
【００１０】
また、必要に応じ、上記流量規整部を、上記送水竿の一端部の皮膜を剥ぎ取り、この被覆を剥ぎ取って露出した繊維束部分の繊維を分離して形成した構成としている。皮膜がなく繊維が分離されてほぐれているので、水の吸収がよくなりその分流量を増加させることができ、皮膜の剥ぎ取り方や繊維のほぐし方を調整する簡易な手段で適正な送水量を確保することができる。
【００１１】
更に、必要に応じ、上記折曲部を覆って保持するホルダを備え、該折曲部を、上記繊維束及び皮膜を外側から圧縮するとともに該皮膜を裂いて形成した構成としている。皮膜が裂かれるので水が皮膜から浸出して保持されるので保水能力が増加させられ、そのため、この折曲部から流下部への水の流下を円滑に行わせることができる。
【００１２】
また、上記の目的を達成するため、本考案の植木鉢用灌水器の送水竿は、上記構成の送水竿にある。上記と同様の作用，効果を奏する。
【考案の効果】
【００１３】
本考案によれば、送水竿を製造するときは、樹脂からなる繊維を集約して繊維束を形成し、この繊維束の外周にコーティングにより樹脂の被膜を形成するので、従来のようにパイプの全長に亘って繊維質を充填するような煩雑な工程を経なくても製造することができ、製造が極めて容易になり、コストダウンを図ることができるようになる。
また、送水竿に、繊維束及び皮膜を加工することにより形成され水の流量を減少もしくは増加させる流量規整部を１もしくは２以上設けた場合には、繊維束及び皮膜の加工の程度を変えることで流量を規整することができ、従来のようなバルブを設けなくても、簡易な構造で適正な送水量を確保することができる。また、簡易な構造なので、この点でもコストダウンを図ることができる。
【図面の簡単な説明】
【００１４】
【図１】本考案の実施の形態に係る植木鉢用灌水器を示す分解斜視図である。
【図２】本考案の実施の形態に係る植木鉢用灌水器を示す斜視図である。
【図３】本考案の実施の形態に係る植木鉢用灌水器において、ホルダのホルダ本体に送水竿を装着した状態を示す正面図である。
【図４】本考案の実施の形態に係る植木鉢用灌水器を示す正面図である。
【図５】本考案の実施の形態に係る植木鉢用灌水器を示す側面図である。
【図６】本考案の実施の形態に係る植木鉢用灌水器を示す底面図である。
【図７】本考案の実施の形態に係る植木鉢用灌水器において、送水竿の製造工程を示す図である。
【図８】本考案の実施の形態に係る植木鉢用灌水器において、送水竿の流量規整部の構成を示す図であり、（ａ）は縦断面図、（ｂ）は（ａ）中Ｘ−Ｘ線断面図、（ｃ）は（ａ）中Ｙ−Ｙ線断面図である。
【図９】本考案の実施の形態に係る植木鉢用灌水器において、送水竿の流量規整部の加工例を示す図である。
【図１０】本考案の実施の形態に係る植木鉢用灌水器において、送水竿の別の流量規整部の加工例を示す図である。
【図１１】本考案の実施の形態に係る植木鉢用灌水器において、送水竿の折曲部の加工例を示す図である。
【図１２】本考案の実施の形態に係る植木鉢用灌水器の使用状態を示す斜視図である。
【図１３】本考案の実施の形態に係る植木鉢用灌水器の使用状態を示す図である。
【図１４】本考案の実施の形態に係る植木鉢用灌水器の別の送水竿を示す図であり、（ａ）はホルダに装着した全体図、（ｂ）は送水竿の一端の端面図、（ｃ）は送水竿の一端部の縦断面図である。
【図１５】本考案の実施の形態に係る植木鉢用灌水器のまた別の送水竿を示す図であり、（ａ）はホルダに装着した全体図、（ｂ）は送水竿の一端の端面図、（ｃ）は送水竿の一端部の縦断面図である。
【図１６】本考案の実施例に係る植木鉢用灌水器及び送水竿を示し、（ａ）は実施例１、（ｂ）は実施例２、（ｃ）は実施例３を示す。
【図１７】本考案の実施例１〜３に係る植木鉢用灌水器の送水竿について、滴下実験を行った結果を示す表図及びグラフ図である。
【図１８】従来の植木鉢用灌水器の一例をその使用状態で示す図である。
【考案を実施するための形態】
【００１５】
以下、添付図面に基づいて本考案の実施の形態に係る植木鉢用灌水器について説明する。
図１乃至図８に示すように、実施の形態に係る植木鉢用灌水器Ｋは、一端１ａ側が容器Ｂ（図１２,１３）に入れられた水に浸漬され他端１ｂ側が植木鉢Ｈ（図１３）側に配置されて容器Ｂ内の水を毛細管作用により吸い上げて植木鉢Ｈ側に送水する送水竿１と、送水竿１の途中を略逆Ｕ状に折り曲げて保持するホルダ２０とを備えてなる。送水竿１の略逆Ｕ字状に折り曲げられた折曲部２は、一般には、送水竿１の他端１ｂが容器Ｂの水位よりも下側に位置するように設定される。実施の形態では、折曲部２は送水竿１の略中央部に設定され、折曲部２より一端１ａ側を水に浸漬可能な浸水部３、折曲部２より他端１ｂ側を水が流下する流下部４として構成されている。
【００１６】
送水竿１は、図７に示すように、樹脂製繊維ｆを多数本集約して形成され水が流れる繊維束Ｆと、繊維束Ｆの外周にコーティングにより被覆される樹脂製皮膜Ｍとを備えて構成されている。ここで、コーティングとは、溶融樹脂への浸漬、溶融樹脂の塗布，吹き付け等を言う。繊維束Ｆの一端面及び他端面は露出させられる。実施の形態では、繊維束Ｆは、繊維ｆをある程度まとめて形成される繊維体Ｆａを十数本集約して形成される。例えば、ポリエステル（ＤＴＹ）等の樹脂からなる繊維ｆをまとめた繊維体Ｆａであって例えば３５０デニールの繊維体Ｆａを１５本集約したものを繊維束Ｆとし、この繊維束Ｆを例えば槽に入れられた溶融ポリウレタン（ウレタンゴム）等の溶融樹脂内に引き通して乾燥させ、繊維束Ｆの外周に樹脂の被膜Ｍを形成し、その後、所要長さに両端を切断している。そのため、従来のようにパイプの全長に亘って繊維質を充填するような煩雑な工程を経なくても製造することができ、製造が極めて容易になり、コストダウンを図ることができるようになる。
【００１７】
送水竿１の外径（Ｄ）は、例えば、Ｄ＝２〜６ｍｍ、望ましくは、Ｄ＝３〜５ｍｍ、実施の形態では、Ｄ＝４ｍｍに設定されている。また、この送水竿１は、全長が４００〜５００ｍｍのものを用いている。
【００１８】
また、送水竿１には、繊維束Ｆ及び皮膜Ｍを加工することにより形成され水の流量を減少もしくは増加させる流量規整部が１もしくは２以上設けられている。実施の形態では、送水竿１の浸水部３に、水の流量を減少させる流量規整部１０を設けている。この流量規整部１０は、図８及び図９に示すように、繊維束Ｆ及び皮膜Ｍを外側から圧縮して一般部の流路よりも狭い流路に形成したものであり、長手方向に直交する方向のリング状の溝状凹部１１を列設して構成されている。図９に示すように、この流量規整部１０は、リング状の凹凸の連続する一対のローラ１２,１２を対峙させて回転させ、このローラ１２,１２間に浸水部３を回転させ通過させることにより形成される。
【００１９】
また、図１０に示すように、流量規整部１０は、互いに噛合して回転する一対の平ギヤ１３，１３間に通して皮膜を圧縮し、長手方向に直交する方向の直状の溝状凹部１１を両側に列設して構成するようにしても良い。
このように、流量規整部１０によれば、繊維束Ｆ及び皮膜Ｍの加工の程度を変えることで、即ち、溝状凹部１１を形成しその数を調整することで、送水竿１の一部に流路の狭い部分を形成し、これにより、流量を減少させて流量を規整することができる。そのため、従来のようなバルブを設けなくても、簡易な手段で適正な送水量を確保することができるとともに、簡易な構造なのでコストダウンも図ることができる。
【００２０】
そしてまた、折曲部２は、繊維束Ｆ及び皮膜Ｍを外側から圧縮するとともに、皮膜Ｍを裂いて形成されている。この折曲部２は、例えば、図１１に示すように、ラック１４とこれに噛合するピニオンギヤ１５との間に繰り返し通過させて形成されている。これにより、皮膜Ｍが裂かれるので水が皮膜Ｍから浸出して保持されるので保水能力が増加させられ、そのため、この折曲部２から流下部４への水の流下を円滑に行わせることができる。折曲部２より他端１ｂ側の流下部４は、機械的加工は行っていない。即ち、送水竿１の一端１ａ側の浸水部３における容器Ｂ内の水の吸水機能を確保して、折曲部２までの毛細管現象による水の上昇を良好にし、ホルダ２０を持つことで水を保持し継続して流下させる事ができる、その後、他端１ｂ側の流下部４へ引力によって流下させ、他端１ｂから微量ずつ滴下により送水可能にしている。
【００２１】
そして、送水竿１は、滴下量が、例えば、１滴当り、例えば、０．０１〜０．０６ｍｌ、望ましくは、０．０２〜０．０４ｍｌになり、また、滴下の間隔が、例えば、３０〜１２０秒の範囲になるように形成される。上記の素材の選択，その後の機械加工の程度により、適宜調整される。
例えば、１滴の量を０．０３ｍｌに設定した場合、一日（８６，４００秒）当りの送水量は、以下のようになる。
（ａ）滴下間隔３０秒の場合
８６，４００秒÷３０秒＝２，８８０滴
２，８８０滴×０．０３ｍｌ＝８６．４ｍｌ
５００ｍｌボトル使用÷８６．４ｍｌ＝５．７８日の滴下（理論値）
（ｂ）滴下間隔６０秒の場合
８６，４００秒÷６０秒＝１，４４０滴
１，４４０滴×０．０３ｍｌ＝４３．２ｍｌ
５００ｍｌ
ボトル使用÷４３．２ｍｌ≦１２日の滴下（理論値）
（ｃ）滴下間隔１２０秒の場合
８６，４００秒÷１２０秒＝７２０滴
７２０滴×０．０３ｍｌ＝２１．６ｍｌ
５００ｍｌ ボトル使用÷２１．６ｍｌ≦２３日の滴下（理論値）
但し、実際の水量、水滴は水の気化があるために数値は減少となる。
【００２２】
また、図１乃至図６に示すように、実施の形態に係るホルダ２０は、略Ｕ字状に形成され軸方向に沿う一側に送水竿１の略逆Ｕ字状に折り曲げられた折曲部２が通過可能に開放した開放口２２を有した樋状のホルダ本体２１と、ホルダ本体２１の開放口２２を覆う蓋体２３と、蓋体２３をホルダ本体２１に着脱可能に止着する止着手段とを備えて構成されている。ホルダ本体２１及び蓋体２３は、ステンレス等の金属材料、ガラス等の非金属材料、あるいは、硬質または軟質の合成樹脂材料等適宜のもので形成される。実施の形態では、ホルダ本体２１及び蓋体２３は、合成樹脂材料、例えば、ＰＰ＋ＰＥ（３３．３％＋６６．７％）で、夫々、成形型等により、一体成形されている。
【００２３】
詳しくは、ホルダ本体２１は、横断面Ｃ字状に形成され、容器Ｂの開口縁Ｂａに対峙可能な下壁２１ａ，下壁２１ａに対向する上壁２１ｂ，下壁２１ａ及び上壁２１ｂ間に架設される側壁２１ｃとから構成され、側壁２１ｃに対向する部位に略Ｕ字状の開放口２２が形成されるようにしてある。ホルダ本体２１の下壁２１ａの両端部の少なくとも何れか一方側（実施の形態では、送水竿１の浸水部３の位置する側）には、板状の突出部２４が一体に突設されている。蓋体２３は、板状のもので、ホルダ本体２１の開放口２２に倣った略Ｕ字状に形成されており、突出部２４に接合する板状の突状部２５が一体に延設形成されている。
【００２４】
止着手段は、実施の形態では、第一止着手段３０Ａ，第二止着手段３０Ｂ，第三止着手段３０Ｃの３態様備えられている。第一止着手段３０Ａは、ホルダ本体２１の開放口２２の縁部に形成された複数の係合凹部３１と、蓋体２３の外縁部に形成され各係合凹部３１に夫々係合する複数の係合凸部３２とを備えて構成されている。係合凹部３１と係合凸部３２とを係脱させる簡易な操作で蓋体２３の着脱を行うことができる。
【００２５】
第二止着手段３０Ｂは、突出部２４及び突状部２５の互いに接合する接合面のいずれか一方（実施の形態では突出部２４）に設けられた係合突起３３と、突出部２４及び突状部２５の互いに接合する接合面のいずれか他方（実施の形態では突状部２５）に設けられ係合突起３３に係合する係合孔３４とを備えて構成されている。係合突起３３と係合孔３４とを係脱させる簡易な操作で蓋体２３の着脱を行うことができる。
【００２６】
第三止着手段３０Ｃは、ホルダ本体２１及び蓋体２３の他端１ｂ側の外周に環着されるシリコン輪３５で構成されている。シリコン輪３５なので極めて簡易に蓋体２３の着脱を行うことができる。
【００２７】
また、ホルダ２０には、容器Ｂに対して着脱可能に設けられ装着時にホルダ２０を容器Ｂに支持する支持部４０が設けられている。支持部４０は、容器Ｂの開口縁Ｂａ部に差し込まれる溝４１を有して構成されている。詳しくは、支持部４０は、下壁２１ａに形成された上記の突出部２４の側面で形成され容器Ｂの開口縁Ｂａ部に対峙する押え面部４２と、下壁２１ａの両端部間に垂設され押え面部４２との間に容器Ｂの開口縁Ｂａ部に差し込まれる溝４１を形成するとともに、容器Ｂの開口縁Ｂａ部に差し込まれた際、容器Ｂの開口縁Ｂａ部を押え面部４２に押圧する垂下体４３とを備えて構成されている。この垂下体４３には、容器Ｂの開口縁Ｂａ部に当接する楔状の当接凸部４４が一体に設けられている。
【００２８】
更に、実施の形態に係る植木鉢用灌水器Ｋは、可撓樹脂性の筒状体５０を備えている。この筒状体５０は、送水竿１のホルダ２０の内部から外部に露出する一端１ａ側の境界部分５及び／または他端１ｂ側の境界部分６に被嵌（実施の形態では、一端１ａ側の境界部分５に被嵌）され、且つ、外側がホルダ本体２１及び蓋体２３に密着するように形成されている。この筒状体５０には、送水竿１及びホルダ２０とは異なる色が付されている。色は樹脂材料に着色されている。実施の形態では、送水竿１は白色であり、ホルダ本体２１及び蓋体２３は、白色半透明であるのに対し、筒状体５０は、オレンジ色になっている。色はこれに限定されるものではない。これにより、筒状体５０のある側が容器Ｂ内に浸漬される側であることを示すことができ、例えば、カタログなどにその旨記載すれば、間違いを防止することができる。また、デザイン的アクセントにもなる。
【００２９】
従って、この植木鉢用灌水器Ｋにおいて、送水竿１をホルダ２０に取付けるときは、図１及び図２に示すように、ホルダ本体２１から蓋体２３を取り外し、開放口２２を開放させた状態で、送水竿１の途中をＵ字状に折曲し、この折曲部２を開放口２２を通過させてホルダ本体２１内に収容する。図３に示すように、送水竿１の所要位置（一端１ａ側の境界部分５）には、予め筒状体５０を被嵌しておく。筒状体５０は短いものなので、送水竿１に挿通して容易に装着することができる。
【００３０】
その後、図４に示すように、開放口２２に蓋体２３を被せ、止着手段（３０Ａ，３０Ｂ，３０Ｃ）により蓋体２３をホルダ本体２１に止着する。この場合、従来のように送水竿１をパイプに充填する場合に比較して、送水竿１の折曲部２をホルダ本体２１の開放口２２に挿入する簡易な作業で送水竿１をホルダ本体２１内に収容できるので、送水竿１の組付け作業を容易に行うことでき、製造効率を大幅に向上させることができる。
【００３１】
また、この場合、止着手段は、第一止着手段３０Ａ，第二止着手段３０Ｂ，第三止着手段３０Ｃの３態様備えられているので、蓋体２３が確実にホルダ本体２１に取付けられ、容易に脱落する事態が防止される。即ち、ホルダ２０はＵ字状に折り曲げられた送水竿１の折曲部２を保持するので、送水竿１が開いたり閉じたりする動きを確実に押えて折曲状態を保持することができ、送水竿１の保持の安定を図ることができる。また、送水竿１には筒状体５０が被嵌されており、筒状体５０はその外側がホルダ本体２１及び蓋体２３に密着するので、送水竿１がホルダ２０に対して隙間なくしっかりと固着させられ、送水竿１のホルダ２０に対する軸方向の動きが抑止され、より一層保持が確実になる。
【００３２】
そして、このように組付けられた植木鉢用灌水器Ｋを使用するときは、図１２及び図１３に示すように、例えば、ペットボトルなどの容器Ｂを用意し、容器Ｂに水を入れて植木鉢に隣接させて配置するとともに、送水竿１の一端１ａ側の浸水部３を容器Ｂに入れて浸漬し、他端１ｂ側の流下部４を植木鉢側に配置する。この場合、筒状体５０には送水竿１及びホルダ２０とは異なる色が付されており、この筒状体５０は送水竿１の水に浸漬する浸水部３側に被嵌されているので、筒状体５０の色でこれを指し示すことができ、容器Ｂ内に挿入して浸漬する側を間違う事態を防止することができる。
【００３３】
また、ホルダ２０をその支持部４０により容器Ｂに支持する。この際には、支持部４０の溝４１を容器Ｂの開口縁Ｂａ部に差し込む。支持部４０の溝４１を差し込むだけで支持できるので、支持作業を極めて容易に行うことができる。また、ホルダ本体２１のＵ字状の内側を容器Ｂの開口縁Ｂａ部に差し込んで支持するので、ホルダ２０が支持された状態では、支持部４０が目立たないようにすることができ、外観品質向上させることができる。更に、垂下体４３には、楔状の当接凸部４４が設けられているので、容器Ｂが例えばペットボトルのように開口に雄ネジが形成されているようなものであれば、当接凸部４４を雄ネジのネジ山間に臨ませることができ、それだけ、支持部４０を動きにくくすることができることから、ホルダ２０の支持を確実に行うことができる。
【００３４】
この状態では、容器Ｂ内の水は送水竿１の毛管現象によってその一端１ａから浸水部３を通って折曲部２の頂点部位まで吸い上げられ、折曲部２の頂点部位より下流側については吸い上げられた水が引力によって流下部４を流下するので、その他端１ｂから微量ずつ植木鉢側に自動供給される。この場合、送水竿１の折曲部２はホルダ２０に保持されているので、安定させられる。また、植木鉢用灌水器Ｋは支持部４０により容器Ｂに対して支持されているので、植木鉢に対する送水竿１の位置を確実に位置決めして送水することができる。例えば、５００ｍｌのペットボトルの場合、５日〜２０日程度、水を自動供給することができるようになる。
【００３５】
また、長期の使用により、送水竿１が汚れたり損傷する等してその機能が低下した場合には、送水竿１の汚れたり損傷した先端部分を切り取る、或いは、送水竿１自体を新しいものと交換する。後者の場合、先ず、ホルダ２０の止着手段（３０Ａ，３０Ｂ，３０Ｃ）を解除して、ホルダ本体２１から蓋体２３を取り外し、開放口２２を開放させた状態で、使用済みの送水竿１を外す。この場合、送水竿１の折曲部２をホルダ本体２１の開放口２２を通過させるだけで容易に取り外すことができ、取外し作業を容易に行うことできる。そして、新しい送水竿１を用意し、上記と同様にその途中をＵ字状に折曲し、この折曲部２を開放口２２を通過させてホルダ本体２１内に収容する。その後、開放口２２に蓋体２３を被せ、止着手段（３０Ａ，３０Ｂ，３０Ｃ）により蓋体２３をホルダ本体２１に止着する。この場合、送水竿１の折曲部２をホルダ本体２１の開放口２２に挿入する簡易な作業で送水竿１をホルダ本体２１内に収容できるので、送水竿１の組付け作業を容易に行うことできる。
【００３６】
図１４には、別の実施の形態に係る送水竿１を示している。これは、上記と同様に形成されるが、上記とは、流量規整部の構成が異なっている。この流量規整部６０は、送水竿１の一端部の皮膜Ｍを剥ぎ取り、この被覆Ｍを剥ぎ取って露出した繊維束Ｆ部分の繊維ｆを分離して形成した構成としている。皮膜Ｍがなく繊維ｆが分離されてほぐれているので、水の吸収がよくなりその分流量を増加させることができ、皮膜Ｍの剥ぎ取り方や繊維ｆのほぐし方を調整する簡易な手段で適正な送水量を確保することができる。
【００３７】
図１５には、また別の実施の形態に係る送水竿１を示している。これは、上記と同様に形成されるが、上記と異なって、流量規整部１０，６０は設けられていない。これによっても、灌水を行うことができる。
【００３８】
＜実験例＞
次に、実験例を示す。この実験は、上記で示した３種の実施の形態と同様のものを実施例１〜３として、送水試験を行った。実施例１は、流量規整部のないストレートのもの（図１５，図１６（ａ））、実施例２は、流量規整部１０を備えたもの（図１乃至図６，図８，図９，図１１乃至図１３，図１６（ｂ））、実施例３は、流量調整部６０を備えたもの（図１４，ス１６（ｃ））とした。５００ｍｌのペットボトルに各々を装着し、１日毎に、所定時刻において、送水竿１の他端１ｂから滴下する水の滴下間隔を測定した。数値は、所定時刻における５滴の滴下時間の平均である。結果を図１７に示す。ペットボトルの水が少なくなるに従って、滴下間隔は長くなるが、流量規整部を設けることにより、流量調整を行うことができることが分かった。これにより、流量規整部の設け方（設けない場合も含む）により、適正な送水量の植木鉢用灌水器を提供できることが分かった。実験例では、実施例２のものが良好であった。
【００３９】
尚、上記実施の形態において、筒状体５０は、一端１ａ側の境界部分５に被嵌したが、必ずしもこれに限定されるものではなく、他端１ｂ側の境界部分６に被嵌し、あるいは、両方に被嵌しても良く、適宜変更して差し支えない。この場合、一端１ａ側（浸水部３）が何れの側かが分かるように筒状体５０の色を変えるなどすれば良い。また、送水竿１の材質は、上述したものに限定されるものではなく、適宜変更して差し支えない。
【符号の説明】
【００４０】
Ｋ  植木鉢用灌水器
Ｂ  容器
Ｂａ  開口縁部
１  送水竿
１ａ  一端
１ｂ  他端
２  折曲部
３  浸水部
４  流下部
５  境界部分
６  境界部分
ｆ  樹脂製繊維
Ｆａ  繊維体
Ｆ  繊維束
Ｍ  皮膜
１０  流量規整部
１１  溝状凹部
１２  ローラ
１３  平ギヤ１
１４  ラック
１５  ピニオンギヤ
２０  ホルダ
２１  ホルダ本体
２２  開放口
２３  蓋体
２４  突出部
２５  突状部
３０Ａ  第一止着手段
３１  係合凹部
３２  係合凸部
３０Ｂ  第二止着手段
３３  係合突起
３４  係合孔
３０Ｃ第三止着手段
３５  輪ゴム
４０  支持部
４１  溝
４２  押え面部
４３  垂下体
４４  当接凸部
５０  筒状体
６０  流量規整部
【図１】
0003186784.tif 000003
【図２】
0003186784.tif 000004
【図３】
0003186784.tif 000005
【図４】
0003186784.tif 000006
【図５】
0003186784.tif 000007
【図６】
0003186784.tif 000008
【図７】
0003186784.tif 000009
【図８】
0003186784.tif 000010
【図９】
0003186784.tif 000011
【図１０】
0003186784.tif 000012
【図１１】
0003186784.tif 000013
【図１２】
0003186784.tif 000014
【図１３】
0003186784.tif 000015
【図１４】
0003186784.tif 000016
【図１５】
0003186784.tif 000017
【図１６】
0003186784.tif 000018
【図１７】
0003186784.tif 000019
【図１８】
0003186784.tif 000020